(57)【要約】本発明は、復調基準信号（ＤＭ−ＲＳ）マッピング方法、転送方法、及び通信端末装置に関するものであって、特に奇数個のレイヤに対し、異なるＤＭ−ＲＳを転送するに当たって、各レイヤに対するＤＭ−ＲＳの受信信頼度を均一に維持するようにするＤＭ−ＲＳマッピング方法及び転送方法を提供するためのものである。
2013509796.tif 000002
【特許請求の範囲】
【請求項１】
復調基準信号（ＤＭ−ＲＳ）マッピング方法であって、
４個のリソースエレメント（Resource Element；ＲＥ）からなる１つのＲＥグループに対し、２個のＲＥには２個のレイヤのＤＭ−ＲＳを重複して割り当てて、残りの２個のＲＥには残りの１つのレイヤのＤＭ−ＲＳを干渉無しで単独に割り当てる非干渉ＲＥグループを含み、かつ干渉無しで割り当てられるレイヤを非干渉ＲＥグループ毎に交互に割り当てることを特徴とする、ＤＭ−ＲＳマッピング方法。
【請求項２】
前記重複して割り当てられる２個のＲＥを通して転送されるＤＭ−ＲＳはウォルシュコードにより区分されることを特徴とする、請求項１に記載のＤＭ−ＲＳマッピング方法。
【請求項３】
転送するレイヤの数字を
2013509796.tif 000060
という時、以下の数式による個数だけのリソースブロック（Resource Block；ＲＢ）にＤＭ−ＲＳがマッピングされることを特徴とする、請求項１に記載のＤＭ−ＲＳマッピング方法。
2013509796.tif 000061
【請求項４】
各レイヤに対してＤＭ−ＲＳが干渉無しで単独に割り当てられる前記非干渉ＲＥグループまたは転送回数の個数は以下の数式により定まることを特徴とする、請求項３に記載のＤＭ−ＲＳマッピング方法。
2013509796.tif 000062
【請求項５】
各レイヤに対してＤＭ−ＲＳが他のレイヤのＤＭ−ＲＳ信号と重複して割り当てられるＲＥグループまたは転送回数の個数は以下の数式により定まることを特徴とする、請求項４に記載のＤＭ−ＲＳマッピング方法。
2013509796.tif 000063
【請求項６】
復調基準信号（ＤＭ−ＲＳ）マッピング方法であって、
２個のレイヤのＤＭ−ＲＳが重複して転送される４個のリソースエレメント（Resource Element；ＲＥ）からなるＲＥグループのうち、ＲＥグループに属する４個のＲＥ全てに同一のレイヤのＤＭ−ＲＳが割り当てられる重複ＲＥグループを１つ以上含み、４個のＲＥ全てに割り当てられるレイヤを前記重複ＲＥグループ毎に交互に割り当てることを特徴とする、ＤＭ−ＲＳマッピング方法。
【請求項７】
転送するレイヤの数字を
2013509796.tif 000064
という時、以下の数式による個数だけのリソースブロック（Resource Block；ＲＢ）にＤＭ−ＲＳがマッピングされることを特徴とする、請求項６に記載のＤＭ−ＲＳマッピング方法。
2013509796.tif 000065
【請求項８】
各レイヤに対し、４個のＲＥ全てでＤＭ−ＲＳが割り当てられる前記重複ＲＥグループまたは転送回数の個数は以下の数式により定まることを特徴とする、請求項７に記載のＤＭ−ＲＳマッピング方法。
2013509796.tif 000066
【請求項９】
奇数個のレイヤに対するＤＭ−ＲＳ転送方法であって、
各レイヤのＤＭ−ＲＳに対する受信信頼度が同一になるように、各レイヤのＤＭ−ＲＳを１つ以上の転送ブロック（ＲＢ）のＲＥにマッピングして転送することを特徴とする、ＤＭ−ＲＳ転送方法。
【請求項１０】
奇数個のレイヤに対するＤＭ−ＲＳを受信する通信端末装置であって、
前記通信端末装置は各レイヤのＤＭ−ＲＳに対する受信信頼度が同一になるように、各レイヤのＤＭ−ＲＳを１つ以上の転送ブロック（ＲＢ）のＲＥにマッピングして生成された奇数レイヤに対するＤＭ−ＲＳを受信し、各レイヤで使われたプリコーダー情報を獲得することを特徴とする、通信端末装置。
【請求項１１】
奇数個のレイヤに対するＤＭ−ＲＳを転送する装置であって、
各レイヤのＤＭ−ＲＳに対する受信信頼度が同一になるように、各レイヤのＤＭ−ＲＳを１つ以上の転送ブロック（ＲＢ）のＲＥにマッピングして転送することを特徴とする、ＤＭ−ＲＳ転送装置。
【請求項１２】
通信端末装置が奇数個のレイヤに対するＤＭ−ＲＳを受信する方法であって、
前記通信端末装置は、各レイヤのＤＭ−ＲＳに対する受信信頼度が同一になるように、各レイヤのＤＭ−ＲＳを１つ以上の転送ブロック（ＲＢ）のＲＥにマッピングして生成された奇数レイヤに対するＤＭ−ＲＳを受信するステップと、
前記各レイヤで使われたプリコーダー情報を獲得するステップと、
を含むことを特徴とする、ＤＭ−ＲＳ受信方法。
【発明の詳細な説明】
【技術分野】
【０００１】
本発明の実施形態は無線通信システムに関し、特に、多重入力多重出力（ＭＩＭＯ:Multiple Input Multiple Output）アンテナを介して情報を転送及び受信する無線通信システムにおける転送側が受信側にプリコーダー（precoder）の構造を知らせるために使用する復調基準信号（Demodulation Reference Signal；以下、“ＤＭ−ＲＳ”という）のマッピングまたは転送方法及びそれを用いる通信端末装置に関する。
【背景技術】
【０００２】
通信システムが発展するにつれて、事業体及び個人などの消費者は非常に多様な無線端末機を使用するようになった。
【０００３】
現在の３ＧＰＰ、ＬＴＥ（Long Term Evolution）、ＬＴＥ−Ａ（LTE Advanced）等の移動通信システムでは、音声中心のサービスから外れて、映像、無線データなどの多様なデータを送受信できる高速大容量の通信システムとして、有線通信ネットワークに準ずる大容量データを転送できる技術開発が要求されているだけでなく、情報損失を最小化し、システム転送効率を上げることによってシステム性能を向上させることができる適切な誤り検出方式が必須の要素となった。
【０００４】
このような通信システムにおける送信装置が情報を転送するために使用したプリコーダー（Precoder）に対する情報を受信装置に知らせるために復調基準信号またはＤＭ−ＲＳという基準信号を使用するようになる。
【０００５】
一方、送受信側の全てにおいて多重入力多重出力（ＭＩＭＯ）アンテナを用いる通信システムが使われており、ユーザ端末（User Equipment；ＵＥ）が信号を受信または送信するレイヤ（Layer）毎に異なるＤＭ−ＲＳが転送されなければならない。
【０００６】
このようなレイヤ毎に異なるＤＭ−ＲＳを転送ブロックまたはリソースブロックにマッピングする過程に対する議論が進行中であるが、明確な仕様が導出されていない。
【発明の概要】
【発明が解決しようとする課題】
【０００７】
本発明の目的は、多数のレイヤに対するＤＭ−ＲＳ信号をリソースブロックまたは転送ブロックにマッピングして転送する方法を提供することにある。
【０００８】
本発明の他の目的は、各レイヤのＤＭ−ＲＳに対し、均一な受信信頼度を有するようにするＤＭ−ＲＳ信号マッピングまたは転送方法を提供することにある。
【０００９】
本発明の更に他の目的は、特に奇数個のレイヤのＤＭ−ＲＳに対し、均一な受信信頼度を有するようにするＤＭ−ＲＳ信号マッピングまたは転送方法及びそれを用いる通信端末装置を提供することにある。
【課題を解決するための手段】
【００１０】
本発明の一実施形態は、復調基準信号（ＤＭ−ＲＳ）マッピング方法であって、４個のリソースエレメント（Resource Element；ＲＥ）からなる１つのＲＥグループに対し、２個のＲＥには２個のレイヤのＤＭ−ＲＳを重複して割り当てて、残りの２個のＲＥには残りの１つのレイヤのＤＭ−ＲＳを干渉無しで単独に割り当てる非干渉ＲＥグループを含み、かつ干渉無しで割り当てられるレイヤを非干渉ＲＥグループ毎に交互に割り当てることを特徴とする、ＤＭ−ＲＳマッピング方法を提供する。
【００１１】
また、本発明の一実施形態は、復調基準信号（ＤＭ−ＲＳ）マッピング方法であって、２個のレイヤのＤＭ−ＲＳが重複して転送される４個のリソースエレメント（Resource Element；ＲＥ）からなるＲＥグループのうち、ＲＥグループに属する４個のＲＥ全てに同一のレイヤのＤＭ−ＲＳが割り当てられる重複ＲＥグループを１つ以上含み、４個のＲＥ全てに割り当てられるレイヤを上記重複ＲＥグループ毎に交互に割り当てることを特徴とする、ＤＭ−ＲＳマッピング方法を提供する。
【００１２】
また、本発明の他の実施形態は、奇数個のレイヤに対するＤＭ−ＲＳ転送方法であって、各レイヤのＤＭ−ＲＳに対する受信信頼度が同一になるように、各レイヤのＤＭ−ＲＳを１つ以上の転送ブロック（ＲＢ）のＲＥにマッピングして転送することを特徴とする、ＤＭ−ＲＳ転送方法を提供する。
【００１３】
また、本発明の他の実施形態は、奇数個のレイヤに対するＤＭ−ＲＳを受信する通信端末装置であって、上記通信端末装置は、各レイヤのＤＭ−ＲＳに対する受信信頼度が同一になるように、各レイヤのＤＭ−ＲＳを１つ以上の転送ブロック（ＲＢ）のＲＥにマッピングして生成された奇数レイヤに対するＤＭ−ＲＳを受信し、各レイヤで使われたプリコーダー情報を獲得する通信端末装置を提供する。
【００１４】
本発明の他の実施形態は、奇数個のレイヤに対するＤＭ−ＲＳを転送する装置であって、各レイヤのＤＭ−ＲＳに対する受信信頼度が同一になるように、各レイヤのＤＭ−ＲＳを１つ以上の転送ブロック（ＲＢ）のＲＥにマッピングして転送するＤＭ−ＲＳ転送装置を提供する。
【００１５】
本発明の他の実施形態は、通信端末装置が奇数個のレイヤに対するＤＭ−ＲＳを受信する方法であって、上記通信端末装置は、各レイヤのＤＭ−ＲＳに対する受信信頼度が同一になるように、各レイヤのＤＭ−ＲＳを１つ以上の転送ブロック（ＲＢ）のＲＥにマッピングして生成された奇数レイヤに対するＤＭ−ＲＳを受信するステップと、上記各レイヤで使われたプリコーダー情報を獲得するステップとを含むＤＭ−ＲＳ受信方法を提供する。
【発明の効果】
【００１６】
本発明によれば、奇数個のレイヤに対し、それぞれ異なるＤＭ−ＲＳを転送するに当たって、各レイヤに対するＤＭ−ＲＳの受信信頼度を均一に維持するようにするＤＭ−ＲＳマッピング方法及び転送方法を得ることができる。
【図面の簡単な説明】
【００１７】
【図１】本発明の一実施形態が適用される無線通信システムを概略的に示す図である。
【図２】本発明の実施形態に適用できる転送データの一般的なサブフレーム及びタイムスロット構造を図示する。
【図３】３名のＵＥが存在する多重ユーザＭＩＭＯ（ＭＵ−ＭＩＭＯ）システムの信号転送例を図示する。
【図４】ランク２転送乃至ランク４転送におけるＤＭ−ＲＳマッピングの一実施形態を図示する。
【図５】ランク２転送乃至ランク４転送におけるＤＭ−ＲＳマッピングの一実施形態を図示する。
【図６】ランク２転送乃至ランク４転送におけるＤＭ−ＲＳマッピングの一実施形態を図示する。
【図７】ランク３転送において、各レイヤに対するＤＭ−ＲＳが同一の受信信頼度を有するようにするＤＭ−ＲＳマッピングまたはパターニングの一実施形態を図示する。
【図８】ランク３転送において、各レイヤに対するＤＭ−ＲＳが同一の受信信頼度を有するようにするＤＭ−ＲＳマッピングまたはパターニングの一実施形態を図示する。
【図９】ランク５転送において、各レイヤに対するＤＭ−ＲＳが同一の受信信頼度を有するようにするＤＭ−ＲＳマッピングまたはパターニングの一実施形態を図示する。
【図１０】ランク５転送において、各レイヤに対するＤＭ−ＲＳが同一の受信信頼度を有するようにするＤＭ−ＲＳマッピングまたはパターニングの一実施形態を図示する。
【図１１】ランク５転送において、各レイヤに対するＤＭ−ＲＳが同一の受信信頼度を有するようにするＤＭ−ＲＳマッピングまたはパターニングの一実施形態を図示する。
【図１２】ランク５転送において、各レイヤに対するＤＭ−ＲＳが同一の受信信頼度を有するようにするＤＭ−ＲＳマッピングまたはパターニングの一実施形態を図示する。
【図１３】ランク５転送において、各レイヤに対するＤＭ−ＲＳが同一の受信信頼度を有するようにするＤＭ−ＲＳマッピングまたはパターニングの一実施形態を図示する。
【図１４】本発明の他の一実施形態によるＤＭ−ＲＳマッピング方式を図示する。
【図１５】本発明の他の一実施形態によるＤＭ−ＲＳマッピング方式を図示する。
【発明を実施するための形態】
【００１８】
以下、本発明の一部の実施形態を添付した図面を参照しつつ詳細に説明する。各図面の構成要素に参照符号を付加するに当たって、同一の構成要素に対してはたとえ他の図面上に表示されても、できる限り同一の符号を有するようにしていることに留意しなければならない。また、本発明を説明するに当たって、関連した公知構成または機能に対する具体的な説明が本発明の要旨を曖昧にすることができると判断される場合にはその詳細な説明は省略する。
【００１９】
また、本発明の構成要素を説明するに当たって、第１、第２、Ａ、Ｂ、（ａ）、（ｂ）などの用語を使用することができる。このような用語はその構成要素を他の構成要素と区別するためのものであり、その用語により当該構成要素の本質や順番または順序などが限定されない。どの構成要素が他の構成要素に“連結”、“結合”、または“接続”されると記載された場合、その構成要素はその他の構成要素に直接的に連結、または接続できるが、各構成要素の間に更に他の構成要素が“連結”、“結合”、または“接続”されることもできると理解されるべきである。
【００２０】
図１は、本発明の実施形態が適用される無線通信システムを図示する。
【００２１】
無線通信システムは、音声、パケットデータなどの多様な通信サービスを提供するために広く配置される。
【００２２】
図１を参照すると、無線通信システムは、端末１０（User Equipment；ＵＥ）及び基地局２０（Base Station；ＢＳ）を含む。端末１０及び基地局２０は以下に説明する実施形態のようなＤＭ−ＲＳマッピング方法が適用される。
【００２３】
本明細書における端末１０は、無線通信におけるユーザ端末を意味する包括的な概念であって、ＷＣＤＭＡ、ＬＴＥ、及びＨＳＰＡなどでのＵＥ（User Equipment）は勿論、ＧＳＭ(登録商標）におけるＭＳ（Mobile Station）、ＵＴ（User Terminal）、ＳＳ（Subscriber Station）、無線機器（wireless device）などを全て含む概念として解釈されるべきである。
【００２４】
基地局２０またはセル（cell）は一般的に端末１０と通信する固定された地点（fixed station）をいい、ノード−Ｂ（Node−Ｂ）、ｅＮＢ（evolved Node-Ｂ）、ＢＴＳ（Base Transceiver System）、アクセスポイント（AccessPoint）、リレーノード（Relay Node）等、他の用語で呼ばれることもある
【００２５】
即ち、本明細書における基地局２０またはセル（cell）は、ＣＤＭＡにおけるＢＳＣ（Base Station Controller）、ＷＣＤＭＡのＮｏｄｅ Ｂなどがカバーする一部の領域を表す包括的な意味として解釈されるべきであり、メガセル、マクロセル、マイクロセル、ピコセル、フェムトセル、及びリレーノード（Relay node）通信範囲など、多様なカバレッジ領域を全て包括する意味である。
【００２６】
本明細書における端末１０及び基地局２０は、本明細書で記述する技術または技術的思想を具現するための２つの送受信の主体であり、包括的な意味として使われて、具体的に指定される用語または単語により限定されない。
【００２７】
無線通信システムに適用される多重接続方式には制限がない。ＣＤＭＡ（Code Division Multiple Access）、ＴＤＭＡ（Time Division Multiple Access）、ＦＤＭＡ（Frequency Division Multiple Access）、ＯＦＤＭＡ（Orthogonal Frequency Division Multiple Access）、ＯＦＤＭ−ＦＤＭＡ、ＯＦＤＭ−ＴＤＭＡ、ＯＦＤＭ−ＣＤＭＡなどの多様な多重接続方式を使用することができる。
【００２８】
アップリンク転送及びダウンリンク転送は、互いに異なる時間を使用して転送されるＴＤＤ（Time Division Duplex）方式、または互いに異なる周波数を使用して転送されるＦＤＤ（Frequency Division Duplex）方式が使用できる。
【００２９】
本発明の一実施形態は、ＧＳＭ（登録商標）、ＷＣＤＭＡ、ＨＳＰＡを経てＬＴＥ（Long Term Evolution）及びＬＴＥ−Advancedに発展する非同期無線通信と、ＣＤＭＡ、ＣＤＭＡ−２０００、及びＵＭＢに発展する同期式無線通信分野のリソース割当に適用できる。本発明は、特定の無線通信分野に限定または制限されて解釈されてはならず、本発明の事象が適用できる全ての技術分野を含むことと解釈されるべきである。
【００３０】
本発明の実施形態が適用される無線通信システムは、アップリンク及び／またはダウンリンクＨＡＲＱを支援することができ、リンク適応（link adaptation）のために、ＣＱＩ（channel quality indicator）を使用することができる。また、ダウンリンクとアップリンク転送のための多重接続方式は互いに異なることがあり、例えば、ダウンリンクはＯＦＤＭＡ（Orthogonal Frequency Division Multiple Access）を使用し、アップリンクはＳＣ−ＦＤＭＡ（Single Carrier-Frequency Division Multiple Access）を使用することができることと同一である。
【００３１】
端末とネットワークとの間の無線インターフェースプロトコル（radio interface protocol）の階層は通信システムで広く知られた開放型システム間の相互接続（Open System Interconnection；ＯＳＩ）モデルの下位３個の階層に基づいて第１階層（Ｌ１）、第２階層（Ｌ２）、第３階層（Ｌ３）に区分され、第１階層に属する物理階層は、物理チャンネル（physical channel）を用いた情報転送サービス（information transfer service）を提供する。
【００３２】
一方、本発明の一実施形態が適用される無線通信システムの一例では、１つの無線フレームは１０個のサブフレーム（Subframe）から構成され、１つのサブフレームは２個のスロット（slot）を含むことができる。
【００３３】
データ転送の基本単位はサブフレーム単位となり、サブフレーム単位でダウンリンクまたはアップリンクのスケジューリングがなされる。１つのスロットは時間領域で複数のＯＦＤＭシンボルと周波数領域で少なくとも１つの副搬送波を含むことができ、１つのスロットは７個または６個のＯＦＤＭシンボルを含むことができる。
【００３４】
例えば、サブフレームは２個のタイムスロットからなると、各タイムスロットは時間領域で７個のシンボルと周波数領域で１２個の副搬送波（Subcarrier）を含むことができ、このように１つのスロットとして定義される時間−周波数領域をリソースブロック（Resource Block；ＲＢ）と呼ぶことができるが、これに限定されるものではない。
【００３５】
図２は、本発明の実施形態に適用できる転送データの一般的なサブフレーム及びタイムスロット構造を図示する。
【００３６】
３ＧＰＰ ＬＴＥなどにおいて、フレームの送信時間は１．０ｍｓ持続時間のＴＴＩ（送信時間間隔）に分けられる。“ＴＴＩ”及び“サブフレーム（sub-frame）”という用語は同一の意味として使われることができ、フレームは１０ｍｓ長さであって、１０個のＴＴＩを含む。
【００３７】
図２ｂは、本発明の実施形態に係るタイム−スロットの一般的な構造を示す。前述したように、ＴＴＩは基本送信単位（basic transmission unit）であって、１つのＴＴＩは同一の長さの２個のタイム−スロット２０２を含み、各タイム−スロットは０．５ｍｓの持続時間を有する。タイム−スロットはシンボルに対する７個のロングブロック（long block：ＬＢ）２０３を含む。ＬＢはサイクリックプリフィックス（cyclic prefixes：ＣＰ）２０４に分離される。総合すれば、１つのＴＴＩまたはサブフレームは１４個のＬＢシンボルを含むことができるが、本明細書はこのようなフレーム、サブフレーム、またはタイム−スロット構造に制限されるものではない。
【００３８】
図２ｃは、本発明の実施形態に係る１つのサブフレームまたはＴＴＩ２０１の間、１つのリソースブロック（ＲＢ）２３０の構成を示し、各ＴＴＩまたはサブフレームは時間領域で１４個のＬＢ２０３に分割される。各ＬＢは１つのシンボルを運搬することができる。
【００３９】
また、２０ＭＨｚの全体システム帯域幅は、互いに異なる周波数のサブキャリア２０５に分割または分けられる。図示した例では１つのＴＴＩ内の１２個の連続するサブキャリアから構成されており、このように時間領域で１４個のＬＢと周波数領域で１２個のサブキャリアから構成された領域をリソースブロック（Resource block：ＲＢ）と呼ぶことができる。
【００４０】
例えば、１ＴＴＩ内で１０ＭＨｚの帯域幅は周波数領域で５０個のＲＢを含むことができる。このようなリソースブロック（ＲＢ）を構成する各格子空間はリソースエレメント（Resource Element；以下“ＲＥ”という）と呼ぶことができ、上記のような構造のサブフレームの各々には全部で１４×１２=１６８個のＲＥが存在することができる。
【００４１】
図３は、３名のＵＥがある多重ユーザＭＩＭＯ（ＭＵ−ＭＩＭＯ）システムの信号転送例を図示する。
【００４２】
図３に示すように、基地局が３個の端末（ＵＥ０、ＵＥ１、ＩＥ２）に各々プリコーダー（precoder）
2013509796.tif 000003
, 
2013509796.tif 000004
,
2013509796.tif 000005
を使用してプリコーディングしたデータ
2013509796.tif 000006
, 
2013509796.tif 000007
, 
2013509796.tif 000008
を転送する場合である。
【００４３】
また、多重入力多重出力（ＭＩＭＯ）アンテナを使用して信号を転送及び受信するので、転送信号
2013509796.tif 000009
及び受信信号
2013509796.tif 000010
はベクトルとして表現される。
【００４４】
図２において、
2013509796.tif 000011
及び
2013509796.tif 000012
は端末（ＵＥ）
2013509796.tif 000013
への伝播チャンネル（propagation channel）及び端末
2013509796.tif 000014
で信号復元のために使われるポストデコーダ（post-decoder）に対応する行列であり、
2013509796.tif 000015
は
2013509796.tif 000016
の推定値またはポストデコーディング（post-decoding）された値を意味する。
【００４５】
図３のように、ポストデコーダー
2013509796.tif 000017
はプリコーダー
2013509796.tif 000018
により決まるので、端末（ＵＥ）
2013509796.tif 000019
は基地局が自身のために使用したプリコーダー
2013509796.tif 000020
を知なければ情報
2013509796.tif 000021
を復元することができない。
【００４６】
このように基地局が端末に如何なるプリコーダーを使用したかに対する情報（
2013509796.tif 000022
）を転送するために使われるものがＤＭ−ＲＳ（Demodulation Reference Signal）であり、ＤＭ−ＲＳは以下の図４乃至図６のような方式により転送される。
【００４７】
一方、ＭＩＭＯアンテナは多数のレイヤ（Layer）を含み、使われるレイヤの個数によってランク（Rank）１転送（レイヤ数＝１）からランク８転送（レイヤ数＝８）まで限定される。
【００４８】
一般に、レイヤとは、同時に転送される異なる情報を有する独立した情報のストリーム（Stream）を意味し、ランク（Rank）はレイヤの数または同時に転送できるレイヤの最大数を意味する。
【００４９】
前述したように、送信装置では受信装置に自身が使用したプリコーダーの種類の情報などを転送する必要があり、このためにＤＭ−ＲＳと呼ばれる基準信号を使用するようになり、このようなＤＭ−ＲＳはレイヤに従って異なるように受信装置に伝えられなければならない。
【００５０】
したがって、各レイヤのＤＭ−ＲＳを前述した構造のリソースブロック（ＲＢ）に区分可能に割り当てる必要がある。即ち、ＲＢのあるＲＥに各レイヤのＤＭ−ＲＳリソースを割り当てるかを定めなければならず、これをＤＭ−ＲＳパターニング（Patterning）またはＤＭ−ＲＳマッピング（Mapping）と呼ぶことができる。
【００５１】
一方、レイヤ数が２以下のランク１及びランク２転送では、１つのＲＢ毎に、全１２個のＲＥにＤＭ−ＲＳを割り当てて、その以上のレイヤ数であるランク３転送以上ではＲＢ毎に、最大２４個のＲＥにＤＭ−ＲＳを割り当てる方案が議論できる。
【００５２】
図４乃至図６は、前述したように、ＤＭ−ＲＳをパターニングするに当たって、ランク２転送乃至ランク４転送の一実施形態を図示する。
【００５３】
即ち、基地局が特定端末（ＵＥ）に転送する、または特定ＵＥが基地局に転送するＤＭ−ＲＳのパターンを図示し、かつＵＥが受信または送信するレイヤの数が２個または４個の場合に対する図である。
【００５４】
各格子単位はＤＭ−ＲＳがマッピングされるリソースエレメント（Resource Element）、即ちＲＥを、全体ブロックはＤＭ−ＲＳパターンが繰り返される単位としての転送ブロックを表現する。
【００５５】
一方、図４乃至図６に図示された範囲は１つの転送ブロックまたはリソースブロック（ＲＢ）全体ではなく、ＤＭ−ＲＳが表現される領域のみを限定し図示している。
【００５６】
このようなＤＭ−ＲＳパターンは、全体送信帯域幅（Bandwidth）で１回のみ適用されることができ、また周波数軸では一定パターンが反復できる。
【００５７】
図４乃至図６で、数字は転送されるレイヤのナンバーを意味し、数字が記載されたリソースエレメントはその数字のＤＭ−ＲＳが割り当てられるＲＥを意味する。
【００５８】
図４乃至図６で、１つのＲＥに２つのレイヤ数字が記載されたことは、そのＲＥには２個のレイヤのＤＭ−ＲＳが割り当てられ、かつその２個のレイヤに対するＤＭ−ＲＳはウォルシュコード（Walsh Code）、アダマールコード（Hadamard Code）などの直交コード、ゼドフコード（Zedoff Code）などの準直交コード（Semi-orthogonal Code）、または拡散利得（Spreading gain）を保証するランダムコード（Random Code）などにより区分されることを意味する。以下の実施形態はウォルシュコードを使用してレイヤを区別する場合に対するものであり、前述した他の直交コード、準直交コード、ランダムコードによっても具現できる。
【００５９】
図４は、ランク２転送、即ちレイヤが２個の場合のＤＭ−ＲＳマッピングの一実施形態であって、レイヤ０及び１が各々１２個のＲＥに重複して割り当てられており、各レイヤのＤＭ−ＲＳはウォルシュコードとして区分される。
【００６０】
図５は、ランク４転送、即ちレイヤが４個の場合のＤＭ−ＲＳマッピングの一実施形態であって、レイヤ０及び１のＤＭ−ＲＳが各々１２個のＲＥに重複して割り当てられており、レイヤ２及び３のＤＭ−ＲＳがレイヤ０／１と隣り合う１２個のＲＥに割り当てられており、各ＲＥに重複して割り当てられたＤＭ−ＲＳはウォルシュコードとして区分される。
【００６１】
一方、図６はレイヤ０乃至２のような３個のレイヤを基地局がＵＥに転送したり、またはＵＥが基地局に３個のレイヤを転送したりする場合、即ちランク３転送に対する図である。
【００６２】
図６のように、ランク３転送の場合にはレイヤ０と１はウォルシュコードに区分されて１２個のＲＥに重複して割り当てられており、レイヤ２は他のレイヤと重複無しで１２個のＲＥに単独に割当転送されるように設計できる。
【００６３】
しかしながら、図６のようなＤＭ−ＲＳマッピングを用いる場合、レイヤ０とレイヤ１に対するＤＭ−ＲＳがウォルシュコードなどによるコード分割（code division）方式により転送されて相互間の干渉による信頼度の低下を経る可能性がある一方、単独に割当／転送されるレイヤ２に対するＤＭ−ＲＳは他のレイヤに対するＤＭ−ＲＳと干渉を起こさないので、より高い信頼度で受信される。
【００６４】
このように、レイヤ０及び１に対するＤＭ−ＲＳがレイヤ２に対するＤＭ−ＲＳより受信信頼度が低くなれば、レイヤ０及び１の場合は、レイヤ２と比較して、プリコーダー（precoder）の構造を正確に把握する可能性が減少するようになり、これはＭＩＭＯシステムの受信側の復号性能の低下が誘発される。
【００６５】
このような問題を克服するには、各レイヤに対するＤＭ−ＲＳが全て同一の受信信頼度を有するようにする必要がある。
【００６６】
即ち、上記の場合において、レイヤ０乃至２が同一の受信信頼度を有するようにする必要がある。
【００６７】
本発明の一実施形態は、基本的に奇数個のレイヤに対するＤＭ−ＲＳマッピングまたは転送方法であって、各レイヤのＤＭ−ＲＳに対する受信信頼度が同一になるように、各レイヤのＤＭ−ＲＳを１つ以上の転送ブロック（ＲＢ）のＲＥにマッピングして転送するものである。
【００６８】
図７及び図８は、ランク３転送時、各レイヤに対するＤＭ−ＲＳが同一の受信信頼度を有するようにするＤＭ−ＲＳマッピングまたはパターニングの一実施形態を図示する。
【００６９】
図７及び図８の実施形態では、図示したように、４個のリソースエレメント（Resource Element；ＲＥ）からなる１つのＲＥグループに対し、２個のＲＥには２個のレイヤのＤＭ−ＲＳを重複して割り当てて、残りの２個のＲＥには残りの１つのレイヤのＤＭ−ＲＳを干渉無しで単独に割り当てる非干渉ＲＥグループを含み、かつ干渉無しで割り当てられるレイヤを各非干渉ＲＥグループに交互に割り当てる方式である。
【００７０】
即ち、図７で、４個のリソースエレメント（Resource Element；ＲＥ）からなるＲＥグループが１つのＲＢ内で全１２個存在し、全てのＲＥグループは２個のＲＥには２個のレイヤのＤＭ−ＲＳを重複して割り当てて、残りの２個のＲＥには残りの１つのレイヤのＤＭ−ＲＳを干渉無しで単独に割り当てる非干渉ＲＥグループであり、干渉無しで割り当てられるレイヤはＲＥグループ毎に交互に配置されている。
【００７１】
即ち、図７で、左上部→左下部→右上部→右下部の順に第１のＲＥグループ乃至第６のＲＥグループに定義する時、全てのＲＥグループが非干渉グループであり、ＲＥグループ順に単独に割り当てられるレイヤは０→１→２→１→１→２などの順に交互に配置する。
【００７２】
図示したように、各ＲＥグループは隣り合う４個のＲＥから構成したが、必ず隣り合う必要はなく、上部２個のＲＥと下部２個のＲＥは周波数領域で分離されていることがある。
【００７３】
図７は同一のＤＭ−ＲＳパターンが時間領域で繰り返してパターニングされる実施形態を図示しており、図８は各々のＲＥグループが時間−周波数領域で異なるようにマッピングされる例を図示する。
【００７４】
図７の場合には、各々サブキャリア（縦軸）毎に全ての時間領域で同一のＤＭ−ＲＳを受信するようになるので、電力制御などが均一であるという長所があり、図８の場合には各々サブキャリア（縦軸）毎に時間領域で変化するＤＭ−ＲＳを受信するようになるので、空間ダイバーシティ利得を得ることができるという長所を有する。勿論、本発明の実施形態に係る時間−周波数領域でのＤＭ−ＲＳマッピングは、１つのリソースブロック単位だけでなく、基地局または端末の必要によって時間軸に互いに異なるリソースブロックに亘っても図７または図８の実施形態のように割り当てられることができる。
【００７５】
このように、レイヤ０乃至２に対するＤＭ−ＲＳが交互にレイヤ間の干渉無しで転送されるようにすれば、各レイヤに対するＤＭ−ＲＳは４個のＲＥに亘って他のレイヤに対するＤＭ−ＲＳとの干渉無しで転送され、８個のＲＥに亘っては他のレイヤに対するＤＭ−ＲＳとの干渉を有するように転送される。
【００７６】
図６のような方式では、レイヤ０及びレイヤ１に対するＤＭ−ＲＳが１２個のＲＥでレイヤ間の干渉を有するように転送される一方、図７及び図８の実施形態では全てのレイヤで８個のＲＥのみで他のレイヤと干渉を有しながら転送され、残りの４個のＲＥでは干渉無しで転送されることによって、レイヤ０と１のみを考慮するときには、ＤＭ−ＲＳの受信信頼度を上げることができる長所がある。
【００７７】
また、レイヤ０乃至２の各々で、同一に８個のＲＥで他のレイヤと干渉を有しながら転送され、残りの４個のＲＥでは干渉無しで転送される均一な構造を有するので、全ての転送レイヤに対するＤＭ−ＲＳが同一の受信信頼度を有することができる。
【００７８】
一方、図７及び図８のように、各レイヤに対するＤＭ−ＲＳがＤＭ−ＲＳを転送するように割り当てられた各ＲＥで、１回または数回ずつ交互に干渉無しで転送されるようにする方式は、前述したサイズの転送ブロックサイズ、及び３個のレイヤだけでなく、多様なサイズの転送ブロック及び全ての奇数個のレイヤ転送に適用することができる。
【００７９】
一例として、レイヤ数が５の場合を以下の図９乃至１３を参考しつつ説明する。
【００８０】
図９乃至１３は、ランク５転送時、各レイヤに対するＤＭ−ＲＳが同一の受信信頼度を有するようにするＤＭ−ＲＳマッピングまたはパターニングの一実施形態を図示する。
【００８１】
図９乃至１３のように、レイヤが５個の場合には、図４乃至図６のような１つの転送ブロックまたはリソースブロック（ＲＢ）だけでは全てのレイヤで均一な信頼度を有するようにＤＭ−ＲＳマッピングを行うことができず、この場合には転送ブロックが多数のＲＢで構成されなければならない。
【００８２】
図９乃至図１３に示すように、レイヤが５個であるランク５転送の場合には、図９乃至図１３に図示された全５個のＲＢに上記の方式によりＤＭ−ＲＳをマッピングしなければならない。
【００８３】
図９乃至図１３のような実施形態では、隣り合う４個のＲＥからなるＲＥグループは２個のケレイヤが干渉を有して配置される２個ずつのＲＥからなる干渉ＲＥグループ（例えば、レイヤ０と１とが重複して割り当てられた上部２個のＲＥと、レイヤ２と３とが重複して割り当てられた下部２個のＲＥからなる第１のＲＢの左上端のＲＥグループのようなグループ）と、２個のレイヤが干渉を有して配置される２個のＲＥと１つのレイヤが他のレイヤ干渉無しで単独に配置される２個のＲＥを含む非干渉ＲＥグループ（例えば、レイヤ３と４とが重複して割り当てられた上部２個のＲＥと、レイヤ１が単独に割り当てられた下部２個のＲＥからなる第１のＲＢの左下端のＲＥグループのようなグループ）に分離し、かつ非干渉グループに単独に割り当てられるレイヤが交互に変化するようにする。
【００８４】
即ち、ＲＢ順序によって、左上部→左下部→右上部→右下部の順に見る時、単独に割り当てられるレイヤは３→１→４→２→０→４→３→２などの順になることで、他のレイヤと干渉無しで割り当てられるレイヤを交互に配置される。
【００８５】
図９乃至図１３のような場合、５個のＲＢ（第１のＲＢ乃至第５のＲＢ）は、周波数軸に配列、時間軸に配列、または両軸全てに配列できる。
【００８６】
図７乃至図１３のような実施形態において、他のレイヤと干渉無しでＤＭ−ＲＳが転送されるＲＥの個数と、他のレイヤと重複してＤＭ−ＲＳが転送されるＲＥの個数を数式で整理すれば、次の通りである。
【００８７】
参考に、本明細書に使われる数式で
2013509796.tif 000023
はａとｂの最小公倍数、
2013509796.tif 000024
はａより小さい最大整数、
2013509796.tif 000025
はａより大きい最小整数を意味する。
【００８８】
また、１回、２回などの“回数”は該当するＲＥグループの個数と同一の意味として使われる。
【００８９】
まず、転送するレイヤの数字を
2013509796.tif 000026
といい、
2013509796.tif 000027
が奇数であれば、各レイヤに対するＤＭ−ＲＳを２個ずつ組み合わせてウォルシュコード（Walsh code）により区分して同一ＲＥに転送すれば、各
2013509796.tif 000028
個のＲＥの内で
2013509796.tif 000029
個のレイヤのうち、
2013509796.tif 000030
個のレイヤに対するＤＭ−ＲＳは、他のレイヤに対するＤＭ−ＲＳと重なって転送され、１つのレイヤは重複無しで単一転送される。したがって、各
2013509796.tif 000031
個のＲＥの内で全てのレイヤに対するＤＭ−ＲＳは重複無しで１回転送される。
【００９０】
１つのリソースブロック（ＲＢ）の内で２４個のＲＥを使用してＤＭ−ＲＳが転送され、上記で求めた
2013509796.tif 000032
が２４の約数でない場合、１つのＲＢ内では各レイヤに対するＤＭ−ＲＳが同一の信頼度を有するようにすることができない。この場合、以下の＜数式１＞による個数だけのＲＢ内で全ての各レイヤに対するＤＭ−ＲＳが同一の信頼度を有するようにマッピングできる。マッピング方法は、レイヤが３個の場合と同一である。即ち、２個のレイヤに対するＤＭ−ＲＳずつ組み合わせてマッピングし、かつ
2013509796.tif 000033
個のレイヤに対するＤＭ−ＲＳが１回ずつ順次に重複無しで転送されるようにマッピングする。
【００９１】
【数１】
2013509796.tif 000034
【００９２】
上記の方式によりＤＭ−ＲＳをマッピングして転送する場合、＜数式１＞による個数だけのＲＢの各々毎に各レイヤに対するＤＭ−ＲＳは以下の＜数式２＞による回数だけ重複無しで転送され、ＲＥに換算すれば以下の＜数式３＞の個数だけのＲＥで重複無しで転送される。
【００９３】
【数２】
2013509796.tif 000035
【００９４】
【数３】
2013509796.tif 000036
【００９５】
以上のように、
2013509796.tif 000037
個のＲＥ毎に各レイヤに対するＤＭ−ＲＳが１回ずつ転送されるので、
2013509796.tif 000038
毎に各レイヤに対するＤＭ−ＲＳは＜数式４＞による回数だけ転送される。したがって、各レイヤに対するＤＭ−ＲＳが他のレイヤと重なって転送される回数は＜数式５＞の通りである。これをＲＥに換算すれば、＜数式５＞の倍数に該当するＲＥで他のレイヤと重なって転送される。
【００９６】
【数４】
2013509796.tif 000039
【００９７】
【数５】
2013509796.tif 000040
【００９８】
レイヤ数が３または５の場合（即ち、ランク３転送及びランク５転送）に対し、上記数式を適用して見ると、
2013509796.tif 000041
であれば、
2013509796.tif 000042
、即ち４個のＲＥ毎に１つのレイヤに対するＤＭ−ＲＳが重複無しで転送される。
2013509796.tif 000043
であれば、
2013509796.tif 000044
、即ち６個のＲＥ毎に１つのレイヤに対するＤＭ−ＲＳが重複無しで転送される。
【００９９】
したがって、
2013509796.tif 000045
であれば１２、
2013509796.tif 000046
であれば３０個のＲＥ毎に全てのレイヤに対するＤＭ−ＲＳが同一の信頼度を有するようにマッピング可能である。
【０１００】
図７及び図８のように、
2013509796.tif 000047
であれば
2013509796.tif 000048
個、即ち１つのＲＢ内で全てのレイヤに対するＤＭ−ＲＳが同一の信頼度を有するようにマッピング可能であり、
2013509796.tif 000049
であれば図９乃至１３のように
2013509796.tif 000050
個のＲＢ内で各レイヤに対するＤＭ−ＲＳが同一の信頼度を有するようにマッピング可能である。
【０１０１】
2013509796.tif 000051
であれば、１つのＲＢ内で＜数式２＞により２回だけ各レイヤに対するＤＭ−ＲＳが重複無しで転送され、これをＲＥに換算すれば、４個のＲＥを通じて重複無しで転送される。これは図７及び図８に表示されたものからも分かる。
【０１０２】
2013509796.tif 000052
であれば同一の数式により各５個のＲＢに対して４回ずつ、総８個のＲＥを通じて重複無しで転送され、これは図９乃至１３に図示されたものに対応する。
【０１０３】
2013509796.tif 000053
であれば、各１つのＲＢに対し、各レイヤに対するＤＭ−ＲＳは一括的に＜数式５＞により４回または８個のＲＥで他のレイヤに対するＤＭ−ＲＳと重なって転送される。これは、図７及び図８に表示されたものからも分かる。
【０１０４】
同一の数式により、
2013509796.tif 000054
であれば各５個のＲＢに対し、各レイヤに対するＤＭ−ＲＳは１６回または３２個のＲＥを通じて他のレイヤのＤＭ−ＲＳと重なって転送され、これは図９乃至１３に図示されたものに対応する。
【０１０５】
以上のように、各レイヤに対するＤＭ−ＲＳがＤＭ−ＲＳを転送するように割り当てられた各ＲＥで１回または数回ずつ交互に他のレイヤのＤＭ−ＲＳと干渉無しで転送されるようにする転送方式は、前述したサイズのＲＢのサイズ及び３または５個のレイヤだけでなく、多様なサイズのＲＢ及び全ての奇数個のレイヤ転送に適用できる。
【０１０６】
図１４及び図１５は、本発明の他の一実施形態によるＤＭ−ＲＳマッピング方式を図示する。
【０１０７】
図７乃至図１３では、
2013509796.tif 000055
個のレイヤが交互に単一転送されるようにする方式を説明したが、その代わり、
2013509796.tif 000056
個のレイヤが順次に２個以上のＤＭ−ＲＳ ＲＥにマッピングされて転送される方式も可能であり、図９乃至１３はこのような実施形態を図示している。
【０１０８】
図１４及び図１５による実施形態では、２個のレイヤのＤＭ−ＲＳが重複して転送される４個のＲＥからなるＲＥグループのうち、ＲＥグループに属する４個のＲＥ全てに同一のレイヤのＤＭ−ＲＳが割り当てられる重複ＲＥグループを１つ以上含み、４個のＲＥ全てに割り当てられるレイヤを上記重複ＲＥグループ毎に交互に割り当てる方式である。
【０１０９】
すなわち、全てのＲＥグループのＲＥには全て２個のレイヤのＤＭ−ＲＳがウォルシュコードにより区分されて重複転送され、かつＲＥグループに属する４個のＲＥ全てに同一のレイヤのＤＭ−ＲＳが割り当てられる“重複ＲＥグループ”に定義する場合、各重複ＲＥグループには４個のＲＥの全てに割り当てられるレイヤが順次に変化するようにする。
【０１１０】
図面を参照しつつ説明すると、図１４及び図１５のように、ＤＭ−ＲＳのために割り当てられた隣り合う４個のＲＥからなるＲＥグループを１つの回数に定義する時、１２個の全てのＲＥグループは“重複ＲＥグループ”となる。
【０１１１】
図１４及び図１５で、このような重複ＲＥグループは左上部→左下部→右上部→右下部の順に第１のＲＥグループ乃至第６のＲＥグループに定義すれば、各レイヤのＤＭ−ＲＳは順次にグループ内の４個のＲＥ全てで転送されるようにするので、第１グループ（左上端）ではレイヤ０に対するＤＭ−ＲＳを４個のＲＥ全てで転送されるようにし、第２グループ（左中端）ではレイヤ１に対するＤＭ−ＲＳを４個のＲＥ全てで転送されるようにし、第３グループ（左下端）ではレイヤ２に対するＤＭ−ＲＳを４個のＲＥ全てで転送されるようにする。
【０１１２】
勿論、各ＲＥグループ内のＲＥには４個全て割り当てられるレイヤのＤＭ−ＲＳを除外した他の２個のレイヤのＤＭ−ＲＳが各々２個のＲＥで重複して転送されるようにする。
【０１１３】
このような実施形態によれば、ＲＥグループを１つの回数に定義する時、各レイヤのＤＭ−ＲＳは＜数式２＞による回数だけ４個のＲＥ全てで転送され、ＲＥグループ内で２個のＲＥを通じて転送される回数は＜数式５＞の通りである。
【０１１４】
図１４及び図１５のように、ランク３転送の場合、数式に適用して見ると、
2013509796.tif 000057
であれば、１つのＲＢ内で＜数式２＞により２回だけ各レイヤに対するＤＭ−ＲＳが４個のＲＥ全てで転送される。
【０１１５】
また、各レイヤに対するＤＭ−ＲＳは一括的に＜数式５＞により４回だけ１つのＲＥグループ内で２個のＲＥを通じて転送される。
【０１１６】
即ち、レイヤ０を例に挙げれば、図１４及び図１５のように、２回（第１のＲＥグループ及び第４のＲＥグループ）だけ４個のＲＥ全てでＤＭ−ＲＳが転送され、４回（残りのＲＥグループ）だけで２個のＲＥのみで重複して転送される。
【０１１７】
結果的に、
2013509796.tif 000058
であれば各レイヤのＤＭ−ＲＳは全て均一に１６個のＲＥで他のレイヤと重複して転送され、したがって、同一の信頼度が確保できるようになる。
【０１１８】
図１４及び図１５のような実施形態の場合、レイヤ毎に異なるレイヤのＤＭ−ＲＳと重複してマッピングされる全体ＲＥ個数は＜数式６＞のように表現される。
【０１１９】
【数６】
2013509796.tif 000059
【０１２０】
本明細書で、“ＲＥグループ”、“（非）干渉ＲＥグループ”、“重複ＲＥグループ”という表現を使用しているが、これは前述した定義に従う限り、他の用語や表現に取り替えることができる。
【０１２１】
以上のようなＤＭ−ＲＳマッピング方法またはパターニング方法は、プリコーダーに対する情報を受信装置に知らせるための全ての送信装置に適用することができ、主にダウンリンクにおける送信装置である基地局に適用されるが、場合によって、アップリンクにおける送信装置である端末（ＵＥ）にも適用できる。
【０１２２】
即ち、一実施形態によれば、奇数個のレイヤに対するＤＭ−ＲＳを受信する通信端末装置であって、通信端末装置は各レイヤのＤＭ−ＲＳに対する受信信頼度が同一になるように、各レイヤのＤＭ−ＲＳを１つ以上の転送ブロック（ＲＢ）のＲＥにマッピングして生成された奇数レイヤに対するＤＭ−ＲＳを受信し、各レイヤで使われたプリコーダー情報を獲得する通信端末装置（ＵＥ）形態に具現できる。
【０１２３】
以上のような実施形態を利用すれば、各レイヤに対するＤＭ−ＲＳの受信信頼度の平準化処理を通じて一部のレイヤに対するＤＭ−ＲＳの受信信頼度が低くてプリコーダーを正確に測定できない問題を解決する。これによって、ＭＩＭＯシステムの受信性能を増加させることができるという効果がある。
【０１２４】
以上、本発明の実施形態を構成する全ての構成要素が１つに結合されるか、結合されて動作することと説明されたが、本発明が必ずこのような実施形態に限定されるものではない。即ち、本発明の目的範囲内であれば、その全ての構成要素が１つ以上に選択的に結合して動作することもできる。また、その全ての構成要素が各々１つの独立的なハードウェアで具現されることができるが、各構成要素のその一部または全部が選択的に組み合わせて１つまたは複数個のハードウェアで組み合わせた一部または全部の機能を遂行するプログラムモジュールを有するコンピュータプログラムとして具現されることもできる。そのコンピュータプログラムを構成するコード及びコードセグメントは本発明の技術分野の当業者により容易に推論できるものである。このようなコンピュータプログラムは、コンピュータが読取可能な格納媒体（Computer Readable Media）に格納されてコンピュータによって読取され、実行されることによって、本発明の実施形態を具現することができる。コンピュータプログラムの格納媒体としては、磁気記録媒体、光記録媒体、キャリアウェーブ媒体などが含まれることができる。
【０１２５】
また、以上で記載された“含む”、“構成する”、または“有する”などの用語は、特別に反対になる記載がない限り、該当構成要素が内在できることを意味するものであるので、他の構成要素を除外するのでなく、他の構成要素を更に含むことができることと解釈されるべきである。技術的または科学的な用語を含んだ全ての用語は、異に定義されない限り、本発明が属する技術分野で通常の知識を有する者により一般的に理解されることと同一の意味を有する。事前に定義された用語のように、一般的に使われる用語は関連技術の文脈上の意味と一致するものと解釈されるべきであり、本発明で明らかに定義しない限り、理想的であるとか、過度に形式的な意味として解釈されない。
【０１２６】
以上の説明は、本発明の技術思想を例示的に説明したことに過ぎないものであって、本発明が属する技術分野で通常の知識を有する者であれば、本発明の本質的な特性から逸脱しない範囲で多様な修正及び変形が可能である。したがって、本発明に開示された実施形態は本発明の技術思想を限定するためのものではなく、説明するためのものであり、このような実施形態により本発明の技術思想の範囲が限定されるのではない。本発明の保護範囲は請求範囲により解釈されなければならず、それと同等な範囲内にある全ての技術思想は本発明の権利範囲に含まれるものと解釈されるべきである。
【０１２７】
本特許出願は、２００９年１１月２日付で韓国に出願した特許出願番号第１０−２００９−０１０５１８４号に対し、米国特許法１１９（ａ）条（３５Ｕ．Ｓ．Ｃ§１１９（ａ））により優先権を主張し、その全ての内容は参考文献として本特許出願に併合される。併せて、本特許出願は、米国以外の国家に対しても上記と同一の理由により優先権を主張すれば、その全ての内容は参考文献として本特許出願に併合される。
【図１】
2013509796.tif 000067
【図２】
2013509796.tif 000068
【図３】
2013509796.tif 000069
【図４】
2013509796.tif 000070
【図５】
2013509796.tif 000071
【図６】
2013509796.tif 000072
【図７】
2013509796.tif 000073
【図８】
2013509796.tif 000074
【図９】
2013509796.tif 000075
【図１０】
2013509796.tif 000076
【図１１】
2013509796.tif 000077
【図１２】
2013509796.tif 000078
【図１３】
2013509796.tif 000079
【図１４】
2013509796.tif 000080
【図１５】
2013509796.tif 000081
【国際調査報告】
2013509796.tif 000082
2013509796.tif 000083
2013509796.tif 000084
2013509796.tif 000085